(57)【要約】【課題】エアフィルタ清掃装置の構造が簡略化され、小型で安価な空気調和機の室内機を提供する。【解決手段】本空気調和機の室内機は、エアフィルタ清掃装置７がエアフィルタ４の外周面に沿って移動可能に配置され、エアフィルタ４に付着した挨を除去する埃除去手段８１ｂ、８２ｂ及び除去された挨を溜める埃溜め部８１ａ３、８２ａ３を備えた清掃ユニット８と、清掃ユニット８と別体で、接合することで連通可能に構成され、清掃ユニット８との連通時、清掃ユニット８に溜められた挨を吸引し室外へ排出する排出ファン１０ａ及び排出ダクト１０ｂを有する埃排出ユニット１０からなり、清掃ユニット８によりエアフィルタ４に付着した挨を除去し、その後清掃ユニット８を埃排出ユニット１０に接合させ、埃溜め部８１ａ３、８２ａ３と埃排出ユニット１０を連通して、埃溜め部８１ａ３、８２ａ３に溜まった埃を埃排出ユニット１０を介して室外に排出する。【選択図】  図２
2008002689.tif 000002
【特許請求の範囲】
【請求項１】
室内空気の吸込口と吹出口を連通する送風路にエアフィルタ、熱交換器、送風機を配した空気調和機の室内機において、
前記エアフィルタを清掃するエアフィルタ清掃装置を備え、
このエアフィルタ清掃装置は、前記エアフィルタの外周面に沿って移動可能に配置された埃除去手段及び埃溜め部を備えた清掃ユニットと、
この清掃ユニットと分離、接合可能に別体で構成し、排出ファン及び排出ダクトを有し、前記掃清ユニットとの接合時に、前記埃溜め部の挨を吸引し室外へ排出する連通構造を備えた埃排出ユニットからなり、
前記清掃ユニットを埃排出ユニットと分離して前記エアフィルタの外周面に沿って移動させてエアフィルタに付着した挨を除去し、その後前記清掃ユニットを前記埃排出ユニットと接合連通して、前記埃溜め部の埃を室外に排出するように構成したことを特徴とする空気調和機の室内機。
【請求項２】
前記清掃ユニットは水平移動するとともに、埃溜め部に埃排出口を備え、前記埃排出ユニットに前記埃排出口と連通される埃吸込口を有し、両者を接合連通させることで前記埃溜め部の埃を室外に排出させることを特徴とする請求項１に記載の空気調和機の室内機。
【請求項３】
前記埃吸込口を備えた埃排出ユニットは、室内機本体の一端側に配置され、換気運転用の換気ファン、排気ダクトを備えた換気ユニットに連通されることを特徴とする請求項２に記載の空気調和機の室内機。
【請求項４】
前記エアフィルタ清掃ユニットは、埃除去手段としての回転式の埃掻き取り具と、この埃掻き取り具を回転させるモータを備えることを特徴とする請求項１に記載の空気調和機の室内機。
【請求項５】
前記エアフィルタ清掃ユニットは、エアフィルタの吸込み面の外側側部まで移動可能とし、埃除去運転停止時、吸込み面の外側側部で待機することを特徴とする請求項１に記載の空気調和機の室内機。
【発明の詳細な説明】
【技術分野】
【０００１】
本発明は空気調和機の室内機に係り、特にエアフィルタ清掃装置の構造を改良した空気調和機の室内機に関する。
【背景技術】
【０００２】
空気調和機の室内機にエアフィルタを設け、被調和空気の埃の除去を行っているが、エアフィルタへの挨付着は、性能低下の要因、省エネの阻害要因となり、いずれの要因も送風性能を悪化させ、空気調和機の空気調和能力を著しく悪化させる。
【０００３】
従来、エアフィルタ清掃装置を備えた空気調和機の室内機において、エアフィルタ清掃装置は、エアフィルタ部にノズルを当て、直接吸引排気する構造、あるいはブラシ等で掻き取り、その後一気に排気する構造（特許文献１）等があるが、いずれの構造もエアフィルタ接触部から室外排気までの経路は一つに繋がっており、その経路を構成することで、室内機が大きくなるという問題があり、スペースの効率が悪かった。また、エアフィルタ清掃装置を備えるために、そのスペースを確保するための特殊な構造を必要とし、そのエアフィルタ清掃構造を実現するために、それらのスペースの確保が必要となり、エアフィルタ清掃装置を備えない空気調和機の室内機に対しても、予め特殊な構造としておかざるをえず、設計的にも標準化という点で大きな制約があった。
【特許文献１】特開２００２−３４０３９５号公報
【発明の開示】
【発明が解決しようとする課題】
【０００４】
本発明は上述した事情を考慮してなされたもので、エアフィルタ清掃装置の構造が簡略化され、小型で安価な空気調和機の室内機を提供することを目的とする。
【課題を解決するための手段】
【０００５】
上述した目的を達成するため、本発明に係る空気調和機の室内機は、室内空気の吸込口と吹出口を連通する送風路にエアフィルタ、熱交換器、送風機を配し、前記エアフィルタを清掃するエアフィルタ清掃装置を備え、このエアフィルタ清掃装置は、前記エアフィルタの外周面に沿って移動可能に配置された埃除去手段及び埃溜め部を備えた清掃ユニットと、この清掃ユニットと分離、接合可能に別体で構成し、排出ファン及び排出ダクトを有し、前記掃清ユニットとの接合時に、前記埃溜め部の挨を吸引し室外へ排出する連通構造を備えた埃排出ユニットからなり、前記清掃ユニットを埃排出ユニットと分離して前記エアフィルタの外周面に沿って移動させてエアフィルタに付着した挨を除去し、その後前記清掃ユニットを前記埃排出ユニットと接合連通して、前記埃溜め部の埃を室外に排出することを特徴とする。
【発明の効果】
【０００６】
本発明に係る空気調和機の室内機によれば、エアフィルタ清掃構造が簡略化され、小型で安価な空気調和機の室内機を提供することができる。
【発明を実施するための最良の形態】
【０００７】
本発明の一実施形態に係る空気調和機の室内機について添付図面を参照して説明する。
【０００８】
図１は本発明の一実施形態に係る空気調和機の室内機の縦断面図であり、図２は本発明の一実施形態に係る空気調和機の室内機本体の一部を切欠して示す斜視図である。
【０００９】
図１及び図２に示すように、本発明に係る空気調和機の室内機１は、本体２を有し、この本体２には、その前面部に前部吸込口２ａが開口され、上面部には上部吸込口２ｂが開口され、さらに、下部には吹出口２ｃが開口される。
【００１０】
両吸込口２ａ、２ｂと吹出口２ｃを連通する送風路３には、エアフィルタ４、熱交換器５、送風機６が配される。
【００１１】
エアフィルタ４はＬ字形状に折曲され、エアフィルタ垂直部４１とエアフィルタ水平部４２からなり、エアフィルタ垂直部４１は前部吸込口２ａと熱交換器５の一部を構成する前面側熱交換器５ａ間に配され、前部吸込口２ａから吸い込まれる被調和空気に含まれる埃を除去し、エアフィルタ水平部４２は前部吸込口２ａの一部及び上部吸込口２ｂと熱交換器５の一部を構成する背面側熱交換器５ｂ間に配され、上部吸込口２ｂから吸い込まれる被調和空気に含まれる埃を除去する。
【００１２】
また、エアフィルタ４に対向して、エアフィルタ清掃装置７が配され、このエアフィルタ清掃装置７は、清掃ユニット８と、この清掃ユニット８を適宜移動させる移動ユニット９と、清掃ユニット８と適宜離間あるいは接触する埃排出ユニット１０を備える。
【００１３】
清掃ユニット８は、エアフィルタ４に付着した挨を除去例えば掻き取るもので、エアフィルタ４と同様にＬ字形状をなし、エアフィルタ垂直部４１に付着した挨を掻き取る清掃ユニット垂直部８１と、エアフィルタ水平部４２に付着した挨を掻き取る清掃ユニット水平部８２からなる。
【００１４】
図３及び図４に示すように、清掃ユニット垂直部８１は長方体中空状でブラシ用開口８１ａ１及び埃排出口８１ａ２を設けた垂直部筒体８１ａを備え、この垂直部筒体８１ａには、埃溜め部８１ａ３となる空間を設けるようにして、長手方向に沿って、埃除去手段である埃掻き取り具としてのブラシ８１ｂが回転可能に軸受部材８１ｃとモータボックス８１ｄに収容された回転モータ８１ｅ間に軸支されている。
【００１５】
また、図３及び図５に示すように、清掃ユニット垂直部８１と同様に、清掃ユニット水平部８２は長方体中空状でブラシ用開口８２ａ１を設けた水平部筒体８２ａを備え、この水平部筒体８２ａには、埃溜め部８１ａ３に連通する埃溜め部８２ａ３となる空間を設けるようにして、長手方向に沿って、ブラシ８２ｂが、回転可能に軸受部材８２ｃと回転モータ８２ｅ間に軸支される。
【００１６】
さらに、図２に示すように、移動ユニット９は、本体構成部材２ｄにその長手方向に沿って取り付けたボールねじ９ａと、本体壁２ｅにその長手方向に沿って取り付けた案内溝部材９ｂ間に、エアフィルタ４に沿って水平移動可能に取り付けられる。
【００１７】
この移動可能な取り付けは、清掃ユニット８の一端を垂直部筒体８１ａのモータボックス８１ｄの底面に取り付けられボールねじ９ａに螺合するねじ部材９ｃに取り付け、他端を水平部筒体８２ａの端部に設けた案内ピン９ｄを案内溝部材９ｂの案内溝９ｂ１に摺動可能に溝係合して行う。
【００１８】
また、ボールねじ９ａは、その一端が本体構成部材２ｄに取り付けた軸受９ｅによって軸支され、他端が本体構成部材２ｄに取り付けられたねじ回転モータ９ｆに連結され、このねじ回転モータ９ｆを回転することで、ボールねじ９ａを回転させ、このボールねじ９ａに螺合するねじ部材９ｃを介して、清掃ユニット８を水平移動可能にしている。
【００１９】
本体２の一端側、すなわち軸受部材９ｅ側には、埃排出ユニット１０が配され、この埃排出ユニット１０は排気ファンとして用いる換気ファン１０ａと、この換気ファン１０ａのファンケース１０ａ１に連設され、埃吸込口１０ｂ１を備えたボックス状の埃吸込流路１０ｂと、換気ファン１０ａに取り付けられ、室外に開口する排出ダクトとして用いる排気ダクト１０ｃからなる。
【００２０】
排出ファン及び排出ダクトは、空気調和機の換気モード運転時に使用する室内空気入れ替え用の換気ファン及び排気ダクトと兼用するのが好ましい。
【００２１】
エアフィルタ清掃装置７は上記のような構造であり、清掃ユニット８は、埃除去運転停止時、図２に点線で示す電気部品収納箱１１の前方の待機位置ｐに待機し、図６に示すように、埃除去運転時、清掃ユニット８が埃排出ユニット１０側まで達して埃排出ユニット１０に当接し、埃排出口８１ａ２と埃吸込口１０ｂ１が密着して連通する。
【００２２】
なお、図中符号２ｆはルーバー、符号１２は伸縮自由に巻回された配線である。
【００２３】
次にエアフィルタ清掃装置７の動作について説明する。
【００２４】
図１及び図２に示すように、前部吸込口２ａ及び上部吸込口２ｂを通り、本体２内に吸い込まれた室内空気は、通気路３に配されたエアフィルタ４で埃が除去され、熱交換器５で空気調和され、送風機６を介して、吹出口２ｃから吹き出される。
【００２５】
このような空気調和運転が長時間行われ、エアフィルタ４に埃が溜まると、埃検出センサがこれを検知して、あるいは所定運転時間を演算して、待機位置ｐ近傍にある清掃ユニット８の回転モータ８１ｅを駆動してブラシ８１ｂを回転させ、図４に示すように、回転するブラシ８１ｂによりエアフィルタ垂直部４１の埃の除去を開始し、また、回転モータ８２ｅを回転させ、図５に示すように、回転するブラシ８２ｂによりエアフィルタ水平部４２の埃の除去を開始する。これと同時に、ねじ回転モータ９ｆを回転させてボールねじ９ａを回転させ、ねじ部材９ｃを介して、清掃ユニット８を埃排出ユニット１０方向に水平移動し、エアフィルタ４の清掃を行う。
【００２６】
ブラシ８１ｂ及びブラシ８２ｂによりエアフィルタ垂直部４１及びエアフィルタ水平部４２から除去された埃は、一時的にブラシ８１ｂ及びブラシ８２ｂの近傍に設けた埃溜め部８１ａ３、埃溜め部８２ａ３に溜められる。
【００２７】
清掃ユニット８が水平移動を続行して、清掃ユニット８が埃排出ユニット１０まで達して埃排出ユニット１０に当接すると、埃排出口８１ａ２と埃吸込口１０ｂ１が密着連通し、埃溜め部８１ａ３、８２ａ３に溜まった埃は、埃吸込流路１０ｂを介して排気ファン１０ａに吸い込まれ、さらに、排気ダクト１０ｃを介して室外に排出される。一連の埃除去動作が完了すると、清掃ユニット８は待機位置ｐに戻り、次の埃除去動作を待つ。清掃ユニット８がエアフィルタ４吸込み面の前方を避けて待機するので、通風抵抗にならず、通風効率を高めることができる。
【００２８】
上記のような埃除去運転により、エアフィルタ４に溜まった埃は除去され、空気調和機の空気調和能力が維持される。
【００２９】
また、エアフィルタ清掃装置７は清掃ユニット８と、この清掃ユニット８と分離して別個に設ける埃排出ユニット１０からなるので、両ユニット８、１０は常時連通する必要がなく、両者を連結していたダクトの収納スペースが必要なくなり簡単な構造で、かつ本体自体のコンパクト化が可能となり、さらに、空気調和機の基本構成部品である本体を、エアフィルタ清掃機能を設けない空気調和機の本体との共用化を図ることができる。
【００３０】
さらに、清掃ユニット８を、埃排出口８１ａ２と連通可能な埃吸込口１０ｂ１を備え、埃吸込流路１０ｂ、換気運転用ファン１０ａ、排気ダクト１０ｃを備えた埃排出ユニット１０に連通するので、換気ファン１０ａの排気モード切り替により、清掃ユニット８に溜まった埃を効率的に排出することができる。
【００３１】
また、清掃ユニット８は、埃除去手段としてのブラシ８１ｂ、８２ｂを回転させる回転モータ８１ｅ、８２ｅを備えるので、本体２との連結機構が不要で、清掃ユニット８の構造を簡素化できると共に、本体側に特別な駆動機構、連結機構を設ける必要がない。
【００３２】
本実施形態の空気調和機の室内機によれば、エアフィルタ清掃装置の構造が簡略化され、小型で安価な空気調和機の室内機が実現する。
【図面の簡単な説明】
【００３３】
【図１】本発明の一実施形態に係る空気調和機の室内機の縦断面図。
【図２】本発明の一実施形態に係る空気調和機の室内機の本体の一部を切欠して示す斜視図。
【図３】本発明の一実施形態に係る空気調和機の室内機に用いる清掃ユニットの一部を切欠して示す斜視図。
【図４】図３のＡ−Ａ線に沿う断面図。
【図５】図３のＢ−Ｂ線に沿う断面図。
【図６】本発明の一実施形態に係る空気調和機の室内機に用いるエアフィルタ清掃装置の動作時の斜視図。
【符号の説明】
【００３４】
１…空気調和機の室内機、２…本体、３…送風路、４…エアフィルタ、４１…エアフィルタ垂直部、４２…エアフィルタ水平部、５…熱交換器、５ａ…前面側熱交換器、５ｂ…背面側熱交換器、６…送風機、７…エアフィルタ清掃装置、８…清掃ユニット、８１…清掃ユニット垂直部、８１ａ…垂直部筒体、８１ａ１…ブラシ用開口、８１ａ２…埃排出口、８１ａ３…埃溜め部、８１ｂ…ブラシ、８１ｅ…回転モータ、８２…清掃ユニット水平部、８２ａ…水平部筒体、８２ａ１…ブラシ用開口、８２ａ３…埃溜め部、８２ｂ…ブラシ、８２ｅ…回転モータ、９…移動ユニット、９ａ…ボールねじ、９ｃ…ねじ部材、９ｄ…案内ピン、９ｆ…ねじ回転モータ、１０…埃排出ユニット、１０ａ…換気ファン、１０ａ１…ファンケース、１０ｂ…埃吸込流路、１０ｂ１…埃吸込口、１０ｃ…排気ダクト。
【図１】
2008002689.tif 000003
【図２】
2008002689.tif 000004
【図３】
2008002689.tif 000005
【図４】
2008002689.tif 000006
【図５】
2008002689.tif 000007
【図６】
2008002689.tif 000008